(57)【要約】【課題】  小動物の侵入や枯葉の引っ掛かりを防止し、排水機能を確保することが可能な排水管飾り部材を提供する。【解決手段】  本発明は、建物の外壁面から突出された排水管５内を流れる雨水を下方へと導くための排水管飾り部材１に関するものである。排水管飾り部材１は、排水管５の端部を引き込むための第１開口９が形成された起立板部８と下方を臨む第２開口１０が形成された底板部７とを有する止め部材２と、第１開口９に挿通された排水管５の端部に係合して排水管５が第１開口９から抜け出るのを防止する係合部材３と、止め部材２に着脱可能に外嵌する飾り部材４とを備えている。係合部材３には、第２開口１０を塞ぐ複数のスリット３ｃが形成され、各スリット３ｃの端面下部３ｆと第２開口１０の周縁１０ａとの間に間隙が確保されるようにして係合部材３が設置される。【選択図】  図１
2006132286.tif 000002
【特許請求の範囲】
【請求項１】
建物の外壁面から突出された排水管内を流れる雨水を下方へと導くための排水管飾り部材であって、
前記排水管の端部を引き込むための第１開口が形成された起立板部と下方を臨む第２開口が形成された底板部とを有する止め部材と、
前記第１開口に挿通された前記排水管の端部に係合して前記排水管が前記第１開口から抜け出るのを防止する係合部材と、
前記止め部材に着脱可能に外嵌する飾り部材と
を備え、
前記係合部材には、前記第２開口を塞ぐ複数のスリットが形成され、各スリットの端面下部と前記第２開口の周縁との間に間隙が確保されるようにして当該係合部材が設置されることを特徴とする排水管飾り部材。
【請求項２】
前記スリットの端面が、前記排水管の端部から前記第２開口の周縁へ向けて連続した緩やかな曲面によって形成されていることを特徴とする請求項１に記載の排水管飾り部材。
【発明の詳細な説明】
【技術分野】
【０００１】
本発明は、建物の外壁面から突設された排水管内を流れる雨水を下方へと導くための排水管飾り部材に関する。
【背景技術】
【０００２】
従来の雨樋の構造として、竪樋をそのまま突出させて、傾斜配置された排水管や軒樋を流れる雨水を、竪樋の端部に導き入れる構造や、壁面に合わせて排水管を切断して雨水を導き入れる構造や、竪樋の上端部に集水器を設置し、この集水器に雨水が流れ込むように排水管や軒樋の端部を固定した構造や、排水管の端部にエルボを取り付ける構造が知られている（例えば、特許文献１参照）。
【０００３】
しかしながら、竪樋がそのまま突出された雨樋や、エルボを用いた雨樋では、外観美感が悪く、壁面に合わせて切断された排水管の配設構造では、雨水が外壁面を汚してしまうおそれがある。このため、雨水を下方に導くための排水管飾り部材が排水管の端部に設けられている。
【特許文献１】特開平１０−２０５０８７号公報  （第７図）
【発明の開示】
【発明が解決しようとする課題】
【０００４】
しかしながら、排水管飾り部材を設置すると、その中に小動物や鳥が侵入し、巣などをつくってしまって雨水等の排水機能を低下させるおそれがある。一方で、飾り部材の下側開口に網状部材を設置して小動物の侵入等を防止する方法も考えられているが、この場合には枯葉等が網状部材に引っ掛かってしまい、排水機能を低下させるおそれが生じるという問題があった。
【０００５】
本発明は上記問題を解決するためになされたものであり、小動物の侵入や枯葉の引っ掛かりを防止し、排水機能を確保することが可能な排水管飾り部材を提供することを課題とする。
【課題を解決するための手段】
【０００６】
上記課題を解決するために、請求項１に係る発明は、建物の外壁面から突出された排水管内を流れる雨水を下方へと導くための排水管飾り部材であって、前記排水管の端部を引き込むための第１開口が形成された起立板部と下方を臨む第２開口が形成された底板部とを有する止め部材と、前記第１開口に挿通された前記排水管の端部に係合して前記排水管が前記第１開口から抜け出るのを防止する係合部材と、前記止め部材に着脱可能に外嵌する飾り部材とを備え、前記係合部材には、前記第２開口を塞ぐ複数のスリットが形成され、各スリットの端面下部と前記第２開口の周縁との間に間隙が確保されるようにして当該係合部材が設置されることを特徴とする。
【０００７】
また、前記スリットの端面が、前記排水管の端部から前記第２開口の周縁部へ向けて連続した緩やかな曲面によって形成されていることが好ましい。
【発明の効果】
【０００８】
本発明に係る排水管飾り部材によれば、スリットが第２開口を塞ぐので、小動物や鳥等が第２開口より侵入することを防止することができる。また、スリットの端面下部と第２開口の周縁との間に間隙が確保されることによって、排水管より流れてきた枯葉等が、間隙を介して第２開口より下方へ流れ出るので、枯葉等が引っ掛かりにくくなり、排水機能
の低下を防止することが可能となる。
【０００９】
さらに、スリットの端面が排水管の端部から第２開口の周縁に向けて連続した緩やかな曲面によって形成されているので、スリットの端面によって、枯葉等が排水管の端部から第２開口の周縁へと導かれて、より一層枯葉等が引っ掛かりにくくなり、枯葉を第２開口より外へ円滑に排出させることができる。
【発明を実施するための最良の形態】
【００１０】
以下、本発明に係る排水管飾り部材を、図面を用いて説明する。
【００１１】
図１は、排水管飾り部材１を示した展開斜視図であり、排水管飾り部材１は、止め部材２と、係合部材３と、飾り部材４とを備えている。
【００１２】
止め部材２は、排水管５を流れる雨水を下方に導くために設けられるものである。止め部材２は、周縁部にリブ６が形成された底面部７と、この底面部７の端辺に垂直に立設する略長方形状の起立壁８とを備えている。
【００１３】
起立壁８には、排水管５の端部を挿通するための第１開口９が形成されている。この第１開口９は、排水管５が勾配された状態で建物に設置されることを考慮して、排水管５の外径よりも大径に形成される。底面部７には、排水管５より導かれた雨水等を下方に排出するための第２開口１０が形成されている。この第２開口１０はかまぼこ端面形状を呈している。
【００１４】
係合部材３は、図２に示すように、排水管５の端部に固定される固定部３ａと、第２開口１０を塞ぐスリット部３ｂとを備えている。
【００１５】
固定部３ａは、第１開口９に挿通された排水管５の端部に係合することにより排水管５が第１開口から抜け出ることを防止することを目的として設けられるものである。固定部３ａは、排水管５に係合するように、排水管５の外径に等しい内径を備えている。固定部３ａは排水管５からの脱落を防止するために、接着剤等で排水管５の端部に固定される。
【００１６】
スリット部３ａは、第２開口１０の開口面に対して垂直に起立した複数枚のスリット３ｃと各スリットが連結される保持部材３ｄとによって形成されている。保持部材３ｄは、略扇状を呈しており、固定部３ａの最下面に水平に連結されている。各スリット３ｃは、保持部材３ｄの下面に互いに平行に等間隔を保って配設されている。各スリット３ｃの長さは、第２開口１０のかまぼこ端面形状の高さに比例して規定される。スリット３ｃの端面３ｅは、保持部材３ｄより第２開口１０の周縁１０ａに向けて緩やかなカーブを描く曲面によって形成されている。固定部３ａが排水管５の端部に固定されて、係合部材３が止め部材２に設置されると、図３に示すように、スリット３ｃの端面下部３ｆと第２開口１０の周縁１０ａとの間に所定の間隙が確保された状態で、各スリット３ｃ下端部が第２開口１０を縦筋状に塞ぐ。
【００１７】
飾り部材４は、止め部材２に外嵌することにより、止め部材２の起立壁８内面及び底面部７内面の露呈を防止し、外観美感の向上を図るために設けられるものである。飾り部材４は止め部材２に着脱可能に取り付けられ、飾り部材４が止め部材２に取り付けられると、飾り部材４と止め部材２とにより中空略かまぼこ形状の筒形状を形成する。飾り部材４の上面１２は、端辺部１３からＵ字に湾曲したかまぼこ状頂上部１４へ向けて傾斜しており、上面１２の傾斜下端（かまぼこ状頂上部１４）には、飾り部材４内に雨水を導き入れるための導通孔１５が形成されている。また、上面１２の周縁には上面１２の傾斜により導通孔１５に流れ込む雨水を導通孔１５に案内するための案内壁１６が形成されている。
【００１８】
本発明に係る排水管飾り部材１を用いることによって、スリット部３ｂのスリット３ｃが第２開口１０を縦筋状に塞ぐので、小動物や鳥等が第２開口１０より侵入することを防止することができる。また、スリット３ｃの端面下部３ｆと第２開口１０の周縁１０ａとの間に所定の間隙が確保されており、排水管５より流れてきた枯葉等が、間隙を介して第２開口１０より下方へ流れ出るので、枯葉等が引っ掛かりにくくなり、排水機能の低下を防止することが可能となる。
【００１９】
特に、スリット３ｃの端面３ｅが保持部３ｄより第２開口１０の周縁１０ａに向けて緩やかなカーブを描く曲面によって形成されているので、係合部材３が排水管５に固定されると、スリット３ｃの端面３ｅによって、枯葉等が排水管５の端部から第２開口１０の周縁１０ａ近傍へと導かれて、より一層枯葉等が引っ掛かりにくくなり、枯葉を第２開口１０より外へ円滑に排出させることができる。
【００２０】
また、排水管飾り部材１を用いることによって、排水管５を流れる雨水が建物の外壁面等に流れ出すことなく第２開口１０を介して下方へ導かれるので、外観美感の向上を図ることが可能になる。さらに、排水管飾り部材１が建物の高い場に設置される場合には、第２開口１０に竪樋を連結することによって、建物の外壁面等が雨水等により汚れてしまうことを防止することができる。
【００２１】
また、飾り部材４の上面１２に降下した雨水が、傾斜した上面１２及び案内壁１６により導通孔１５に案内されて飾り部材４内に導かれるので、上面１２に溜まった雨水が飾り部材４の側壁面を伝って雨だれして、側壁面を汚してしまうことを防止することができる。
【００２２】
以上、本発明に係る排水管飾り部材を、図面を用いて説明したが、本発明に係る排水管飾り部材は上述したものに限定されるものではない。例えば、第２開口１０の開口形状は必ずしもかまぼこ端面形状である必要はなく、長方形状であっても楕円形状であっても良い。このように第２開口の開口形状が異なる場合であっても、各スリットの下端部が第２開口を塞ぐと共に、開口周縁とスリットの端面下部との間に間隙が形成されていれば同様の効果を奏することが可能である。
【図面の簡単な説明】
【００２３】
【図１】本発明に係る排水管飾り部材を示した展開斜視図である。
【図２】本発明に係る係合部材を示した斜視図である。
【図３】係合部材及び止め部材を示した平面図である。
【符号の説明】
【００２４】
１  排水管飾り部材
２  止め部材
３  係合部材
３ａ  固定部
３ｂ  スリット部
３ｃ  スリット
３ｄ  保持部
３ｅ  （スリットの）端面
３ｆ  （スリットの）端面下部
４  飾り部材
５  排水管
７  底面部（底板部）
８  起立部（起立板部）
９  第１開口
１０  第２開口
１０ａ  （第２開口の）周縁
１２  上面
１５  導通孔
【図１】
2006132286.tif 000003
【図２】
2006132286.tif 000004
【図３】
2006132286.tif 000005